(57)【特許請求の範囲】
【請求項１】
装置本体の上面の前面側の一方のコーナ部に設けられ、半導体メモリが内蔵された略矩形板状のＩＣカードを複数収納する収納手段と、
上記収納手段に収納可能な上記ＩＣカードの数に対応して上記収納手段に複数並べて設けられ、前面を挿入端として挿入された上記ＩＣカードを保持してデータの送受信を行う送受信手段と、
上記送受信手段を、上記ＩＣカードの背面側を上記収納手段より突出させて挿脱を行う挿脱位置と、上記収納手段に上記ＩＣカードを収納し、データの記録又は再生を行う収納位置とに亘って回動可能に支持する支持手段とを備え、
上記各送受信手段は、平面から背面を介して底面に亘りラベルが貼着された上記ＩＣカードを、上記ＩＣカードの一方の側面を下側にし、他方の側面を上側にして立てた状態で保持し、
上記支持手段は、上記ＩＣカードの平面と背面と底面のうちの少なくとも何れかにあるラベルにおける記載の確認を行うとき、上記送受信手段を、上記収納位置から上記挿脱位置へ上記ＩＣカードの他方の側面方向に回動させて、上記ＩＣカードに貼着されたラベルを上記収納手段より突出させ、上記ＩＣカードに貼着されたラベルを外部に臨ませるＩＣカードの記録及び／又は再生装置。
【請求項２】
上記装置本体は、上記収納手段と隣接する両面にそれぞれ切欠部が設けられ、
上記ＩＣカードが上記収納位置にある場合、上記一方の切欠部は、最も該一方の切欠部側に保持された上記ＩＣカードのラベルを外部に臨ませ、上記他方の切欠部は、上記ＩＣカードの背面を外部に臨ませる請求項１記載のＩＣカードの記録及び／又は再生装置。
【請求項３】
装置本体の上面と直交する前面に設けられ、半導体メモリが内蔵された略矩形板状のＩＣカードを複数収納するトレイと、
上記トレイに収納可能な上記ＩＣカードの数に対応して上記トレイに複数並べて設けられ、前面を挿入端として挿入された上記ＩＣカードを保持してデータの送受信を行う送受信手段と、
上記送受信手段を、上記ＩＣカードの背面側を上記収納手段より突出させて挿脱を行う挿脱位置と、上記トレイに上記ＩＣカードを収納し、データの記録又は再生を行う収納位置とに亘って回動可能に支持する支持手段と、
上記トレイを上記装置本体の内外に亘って移動する移動操作手段とを備え、
上記各送受信手段は、平面から背面を介して底面に亘りラベルが貼着された上記ＩＣカードを、上記ＩＣカードの一方の側面を下側にし、他方の側面を上側にして立てた状態で保持し、
上記支持手段は、上記ＩＣカードの平面と背面と底面のうちの少なくとも何れかにあるラベルにおける記載の確認を行うとき、上記送受信手段を、上記収納位置から上記挿脱位置へ上記ＩＣカードの他方の側面方向に回動させて、上記ＩＣカードに貼着されたラベルを上記トレイより突出させ、上記ＩＣカードに貼着されたラベルを外部に臨ませるＩＣカードの記録及び／又は再生装置。
【発明の詳細な説明】
【０００１】
【発明の属する技術分野】
本発明は、複数のＩＣカードを装着されるＩＣカードの記録及び／又は再生装置に関する。
【０００２】
【従来の技術】
従来、フラッシュメモリ等の半導体メモリを記憶素子に用いるＩＣカードの記録及び／又は再生装置は、装置本体の操作面にＩＣカードの挿脱口が設けられ、装置本体の内部に、この挿脱口より挿入されたＩＣカードを記録再生位置にローディングするローディング機構が設けられている。また、複数枚のＩＣカードを装着することができる記録及び／又は再生装置では、この挿脱口が複数設けられ、この挿脱口に対応してローディング機構が設けられている。この種の記録及び／又は再生装置で利用者がＩＣカードに記録されている内容を確認するには、装置本体に装着されたＩＣカードを一度装置本体から取り出しＩＣカードに貼着されたラベルに記載された記載内容を確認するか、又は、装置本体に装着されたＩＣカードよりデータを読み出し、装置本体に設けられた表示部で読み出したデータを確認するかによって行っている。
【０００３】
【発明が解決しようとする課題】
しかしながら、上述した記録及び／又は再生装置では、装置本体に挿入されたＩＣカードの記録内容を確認するため、ＩＣカードを装置本体より一度取り出さなければならず、操作が面倒である。また、ＩＣカードの記録内容を確認するため、装置本体に装着されたＩＣカードのデータを読み出しこの内容を表示部に表示させるのも操作が面倒である。
【０００４】
また、装置本体に装着されたＩＣカードの記録内容を確認するたびにＩＣカードを装置本体から取り出す場合には、記録及び／又は再生装置側のコネクタの接続端子とＩＣカードの端子部との接触が繰り返されることになり、端子部同士の摩擦により端子部が速く損傷してしまうことになる。
【０００５】
そこで、本発明は、装置本体の装着部に装着された複数枚のＩＣカードを容易に確認することができることで、操作性の向上を図ることができるＩＣカードの記録及び／又は再生装置を提供することを目的とする。
【０００６】
【課題を解決するための手段】
本発明に係るＩＣカードの記録及び／又は再生装置は、上述した課題を解決すべく、装置本体の上面の前面側の一方のコーナ部に設けられ、半導体メモリが内蔵された略矩形板状のＩＣカードを複数収納する収納手段と、上記収納手段に収納可能な上記ＩＣカードの数に対応して上記収納手段に複数並べて設けられ、前面を挿入端として挿入された上記ＩＣカードを保持してデータの送受信を行う送受信手段と、上記送受信手段を、上記ＩＣカードの背面側を上記収納手段より突出させて挿脱を行う挿脱位置と、上記収納手段に上記ＩＣカードを収納し、データの記録又は再生を行う収納位置とに亘って回動可能に支持する支持手段とを備え、上記各送受信手段は、平面から背面を介して底面に亘りラベルが貼着された上記ＩＣカードを、上記ＩＣカードの一方の側面を下側にし、他方の側面を上側にして立てた状態で保持し、上記支持手段は、上記ＩＣカードの平面と背面と底面のうちの少なくとも何れかにあるラベルにおける記載の確認を行うとき、上記送受信手段を、上記収納位置から上記挿脱位置へ上記ＩＣカードの他方の側面方向に回動させて、上記ＩＣカードに貼着されたラベルを上記収納手段より突出させ、上記ＩＣカードに貼着されたラベルを外部に臨ませる。
【０００７】
また、本発明に係るＩＣカードの記録及び／又は再生装置は、上述した課題を解決すべく、装置本体の上面と直交する前面に設けられ、半導体メモリが内蔵された略矩形板状のＩＣカードを複数収納するトレイと、上記トレイに収納可能な上記ＩＣカードの数に対応して上記トレイに複数並べて設けられ、前面を挿入端として挿入された上記ＩＣカードを保持してデータの送受信を行う送受信手段と、上記送受信手段を、上記ＩＣカードの背面側を上記収納手段より突出させて挿脱を行う挿脱位置と、上記トレイに上記ＩＣカードを収納し、データの記録又は再生を行う収納位置とに亘って回動可能に支持する支持手段と、上記トレイを上記装置本体の内外に亘って移動する移動操作手段とを備え、上記各送受信手段は、平面から背面を介して底面に亘りラベルが貼着された上記ＩＣカードを、上記ＩＣカードの一方の側面を下側にし、他方の側面を上側にして立てた状態で保持し、上記支持手段は、上記ＩＣカードの平面と背面と底面のうちの少なくとも何れかにあるラベルにおける記載の確認を行うとき、上記送受信手段を、上記収納位置から上記挿脱位置へ上記ＩＣカードの他方の側面方向に回動させて、上記ＩＣカードに貼着されたラベルを上記トレイより突出させ、上記ＩＣカードに貼着されたラベルを外部に臨ませる。
【０００８】
【発明の実施の形態】
以下、本発明に係るＩＣカードの記録及び／又は再生装置が適用されたＩＣカードの記録再生装置について、図面を参照して説明する。
【０００９】
この記録再生装置は、図１及び図２に示すようなＩＣカード１を用いるものである。このＩＣカード１は、合成樹脂をモールド成型したメモリ本体を構成する略板状の筐体２を備え、この筐体２の内部に、４メガバイト（以下、単にＭＢともいう。）以上、例えば４ＭＢ、１６ＭＢ、３２ＭＢ、６４ＭＢ、１２８ＭＢといった大きな記憶容量を有するフラッシュメモリ等の半導体メモリ素子が設けられている。ＩＣカード１は、例えば、図１に示すように、短辺の長さＷ1を略２１．４５ｍｍとなし、長辺の長さＬ1を略５０ｍｍとなし、厚さＤ1を略２．８ｍｍとなす略矩形状に形成されている。
【００１０】
ＩＣカード１を構成する筐体２の一方の短辺側である前面２ａ側には、図１及び図２に示すように、前面２ａから底面２ｂに亘るように、端子部３が形成されている。この端子部３には、互いに仕切壁３ａに分離された複数の電極３ｂが設けられている。筐体２内に設けられたメモリ素子に対する情報の読み出し又は書き込み動作は、端子部３に設けられた電極３ｂを介して行われる。また、端子部３は、仕切壁３ａにより係合凹部３ｃが区画され、電極３ｂは、係合凹部３ｃの底面に配設されることで、手指等が直接触れないように保護されている。なお、電極３ｂは、係合凹部３ｃに区画されて１０本（３ｂ1〜３ｂ10）設けられている。
【００１１】
ここで、電極３ｂ1〜３ｂ10について説明すると、図３に示すように、電極３ｂ1と電極３ｂ10は、検出電圧ＶSS端子として用いられ、電極３ｂ2は、シリアルプロトコルバスステート信号ＢＳの入力端子として用いられ、電極３ｂ3と電極３ｂ9は、電源電圧ＶCC端子として用いられ、電極３ｂ4は、データ端子、すなわちシリアルプロトコルデータ信号の入出力端子として用いられ、電極３ｂ5と電極３ｂ7は、リザーブ（予備）端子として用いられ、電極３ｂ6は、ＩＣカード１が記録再生装置に装着されたか否かを検出するための検出端子として用いられ、電極３ｂ8は、シリアルクロックＳＣＬＫの入力端子として用いられる。
【００１２】
また、筐体２の端子部３が形成された前面２ａ側の一方のコーナ部には、図１及び図２に示すように、略円弧状に切り欠かれた記録再生装置への挿入方向を示す切欠部４が設けられている。筐体２の切欠部４が形成された側の一方の側面２ｃには、図２に示すように、筐体２の底面２ｂ側を開放した誤挿入防止溝５が切欠部４に連続して形成されている。この切欠部４及び誤挿入防止溝５は、ＩＣカード１を記録再生装置に装着するとき、記録再生装置に対する挿入方向を規制して誤挿入を防止する。
【００１３】
筐体２の底面２ｂ側には、端子部３の近傍に位置して、誤って情報信号を半導体メモリに記録することを防止する誤記録防止スイッチ６が設けられている。誤記録防止スイッチ６は、筐体２内の操作子に連結され、一方にスライドされたとき、情報信号の記録を可能となし、他方にスライドされたとき、新たな情報信号が上書きされないようにしている。また、筐体２の一方の側面２ｃには、記録再生装置に挿入されたとき、記録再生装置側に設けた弾性係合片に係合して記録再生装置からの脱落を防止する脱落防止用凹部７が形成されている。また、筐体２の他方の側面２ｄ側の略中央部には、装着検出用の係合凹部８が形成されている。この係合凹部８は、記録再生装置側に設けられる検出部が係合することによって、ＩＣカード１の記録再生装置への装着の有無を検出する。また、筐体２の他方の側面２ｄの端子部３側には、挿入ガイド溝１３が設けられている。この挿入ガイド溝１３は、記録再生装置に挿入されるときに、ＩＣカード１の挿入をガイドするとともに、誤挿入を防止している。
【００１４】
ＩＣカード１の筐体２には、図１及び図２に示すように、平面２ｅ側から背面２ｆに亘り、さらに底面２ｂ側に亘ってラベル貼着部９が設けられている。ラベル貼着部９は、筐体２の平面２ｅ側から背面２ｆに亘り、さらに底面２ｂに亘る部分に凹状部を形成して構成されている。ラベル貼着部９は、ラベル１０を貼着したとき、ラベル１０が筐体２の外周面から突出しない若しくは面一となる深さに形成されている。また、ラベル貼着部９の平面２ｅ側部分は、図１に示すように、筐体２の背面２ｆ側から前面２ａ側の近傍まで設けられている。ラベル貼着部９に貼着されるラベル１０には、このＩＣカード１を用いることができる機種名やＩＣカード１に記録される記録内容等を示す表示が施される。
【００１５】
以上のようなＩＣカード１は、データの記録又は再生のシステムとしてＦＡＴ（file allocation table）システムが用いられている。また、ＩＣカード１の書き込み速度は、１５００ＫＢ／ｓｅｃ〜３３０ＫＢ／ｓｅｃであり、読み出し速度は、２．４５ＭＢ／ｓｅｃであり、書き込み単位は、５１２バイトであり、消去ブロックサイズは、８ＫＢ又は１６ＫＢである。また、電源電圧ＶCCは、２．７〜３．６Ｖ、シリアルクロックＳＣＬＫは、最高２０ＭＨｚである。
【００１６】
このようなＩＣカード１の回路構成について説明すると、ＩＣカード１は、図３に示すように、データが記録されるフラッシュメモリ１１と、このフラッシュメモリ１１に対するデータの書き込み又は読み出しを制御する制御部１２とを備える。
【００１７】
このフラッシュメモリ１１には、記録再生装置から供給される動画データ、静止画データ、音声データ、制御データ、コンピュータで処理される処理データ等のデータが記憶される。
【００１８】
この制御部１２は、フラッシュメモリ１１へのデータの書き込み又はフラッシュメモリ１１からのデータの読み出しを制御するメモリコントローラ１２ａと、データの書き込み又は読み出しのための各種パラメータを有するレジスタ１２ｂと、データを一時的に記憶するページバッファ１２ｃと、記録再生装置とのデータのやり取りを行うためのシリアルインターフェース１２ｄとを有する。メモリコントローラ１２ａは、レジスタ１２ｂに設定されたパラメータに基づいてフラッシュメモリ１１とページバッファ１２ｃとの間のデータの伝送を行う。
【００１９】
このような制御部１２のメモリコントローラ１２ａには、電極３ｂ2からシリアルプロトコルバスステート信号ＢＳ、電極３ｂ8からシリアルクロックＳＣＬＫが供給される。そして、フラッシュメモリ１１にデータを書き込むとき、メモリコントローラ１２ａは、シリアルプロトコルバスステート信号ＢＳとシリアルクロックＳＣＬＫに従って、電極３ｂ4から入力されるデータをシリアルインターフェース１２ｄを介してページバッファ１２ｃに一時的に記憶し、次いで、フラッシュメモリ１１にデータを記憶する。また、フラッシュメモリ１１に記憶されたデータを読み出すとき、メモリコントローラ１２ａは、シリアルプロトコルバスステート信号ＢＳとシリアルクロックＳＣＬＫに従って、フラッシュメモリ１１よりデータをページバッファ１２ｃに読み出し、次いで、シリアルインターフェース１２ｄを介して電極３ｂ4から記録再生装置に出力する。また、検出電圧ＶSSは、電極３ｂ6に供給され、記録再生装置は、抵抗Ｒによって電極３ｂ6の電圧を検出して、ＩＣカード１が確実に装着されているか否かを検出する。
【００２０】
次に、以上のようなＩＣカード１を記録媒体に用いる記録再生装置２０について図面を参照して説明する。この記録再生装置２０は、図４に示すように、据え置き型の装置である。この記録再生装置２０は、略矩形状の装置本体２１を有し、この装置本体２１には、例えばスピーカやディスク記録再生装置等が接続される。この装置本体２１には、天板を構成する上面２１ａの前面側の一方のコーナ部に記録媒体となるＩＣカード１が装着される装着部２２が設けられている。装着部２２は、ＩＣカード１が６枚、コネクタに装着されて収納される。ＩＣカード１は、データの記録又は再生を行うとき、他方の側面２ｄが装置本体２１の上面２１ａと略面一となし、背面２ｆが前面２１ｂと略面一となすようにコネクタに保持され、ＩＣカード１の挿脱を行うとき、背面２ｆに指等により背面２ｆが装置本体２１の上面２１ａより突出するように回動させた後、コネクタに対する着脱が行われる。このように、装着部２２は、装置本体２１の前面側コーナ部に設け、ＩＣカード１の背面２ｆを外部に臨ませることで、ＩＣカード１の回動操作をする際指等をかけ易くしている。なお、この装着部２２については、詳細は後述する。
【００２１】
また、装置本体２１には、操作面となる前面２１ｂに、液晶表示パネル等からなる表示部２３が設けられている。この表示部２３には、例えばＩＣカード１から音声データを読み出したとき、この音声データのタイトル等のコンテンツに関連する情報や操作のガイド情報等のメッセージが表示される。
【００２２】
また、装置本体２１の前面２１ｂには、電気音響変換素子を内蔵したヘッドフォンが接続されるヘッドフォン端子２４や音声を集音するマイクロフォンが接続されるマイク端子２５が設けられている。例えばヘッドフォンがヘッドフォン端子２４に接続されているとき、利用者は、ＩＣカード１に録音された音声データを聞くことができ、また、マイクロフォンがマイク端子２５に接続されているとき、利用者は、音声をＩＣカード１に録音することができる。
【００２３】
また、装置本体２１の前面２１ｂには、スピーカ、光ディスク記録再生装置等の外部機器が接続されるライン出力端子２６及びライン入力端子２７が設けられている。また、ディジタル入力端子２８が設けられている。ライン出力端子２６にスピーカを接続したときには、ＩＣカード１に記録されている音声データをスピーカより聞くことができ、光ディスク記録再生装置を接続したときには、ＩＣカード１に記録されている音声データを光ディスク記録再生装置に装着されている記録可能な光ディスクにダビングすることができる。また、ライン入力端子２７に光ディスク記録再生装置が接続されたときには、光ディスク記録再生装置に装着された光ディスクに記録された音楽データ等のデータをＩＣカード１にダビングすることができる。更に、ディジタル入力端子２８には、光ディスク記録再生装置等のディジタル出力対応機器が光ケーブル等により接続されとき、光ディスクのディジタルデータをＩＣカードにディジタルダビングすることができる。
【００２４】
また、装置本体２１の前面２１ｂには、ＵＳＢ（Universal Serial Bus）コネクタ２９が設けられている。ＵＳＢコネクタ２９は、例えばＵＳＢインターフェースを備えたコンピュータ等が接続され、ＩＣカード１にコンピュータの処理データを記録し、また、ＩＣカード１に記録されたデータをコンピュータに読み出すことができる。勿論、装置本体２１には、ＳＣＳＩ（Small Computer System Interface）コネクタ、ＲＳ−２３２Ｃ（Recommendation Standard 232C）コネクタ、ＩＥＥＥ（Institute of Electrical and Electronics Engineers）１３９４コネクタ等を設けてもよい。
【００２５】
また、装置本体２１の前面２１ｂには、操作部３１が設けられている。操作部３１は、電源のオンオフを制御する電源釦、ＩＣカード１に記録されたデータを再生するための再生釦、ＩＣカード１にデータを記録するための記録釦、音量を調節するための音量釦、ＩＣカード１に記録されたデータを編集するための編集釦、装置本体２１の動作メニューを選択するためのメニュー選択釦等から構成されている。このような操作部３１からの操作信号は、ＣＰＵに入力され、ＣＰＵは、操作信号に対応した機能を実行する。
【００２６】
また、装置本体２１には、装置本体２１に電源を供給するための電源コネクタ３２が設けられている。装置本体２１は、商用交流電源を動作電源として用いている。勿論、動作電源としては、一次電池や二次電池を用いるようにしてもよい。
【００２７】
ところで、上述した装置本体２１の上面２１ａに設けられた装着部２２は、図５及び図６に示すように、複数枚、例えば６枚のＩＣカード１が収納される収納凹部３６と、この収納凹部３６に収納されるＩＣカード１を保持するとともに送受信手段となるコネクタ３７ａ〜３７ｆとを有する。
【００２８】
図５に示すように、収納凹部３６は、装置本体２１の上面２１ａの一方のコーナ部に設けられている。この収納凹部３６には、ＩＣカード１が、前面２ａを装置本体２１の背面２１ｃ側とし、背面２ｆを装置本体２１の前面２１ｂとし、他方の側面２ｄが装置本体２１の上面２１ａと略面一となるように、立てた状態で収納される。すなわち、この収納凹部３６は、深さＤが短辺の長さＷ1と略同じになるように形成され、奥行きＬがＩＣカード１の長辺の長さＬ1より長くなるように形成され、幅ＷがＩＣカード１を６枚並べて収納できる大きさに形成されている。
【００２９】
このような収納凹部３６には、収納するＩＣカード１の枚数、すなわち６枚に対応してコネクタ３７ａ〜３７ｆ（以下、単にコネクタ３７ともいう。）が設けられている。これらコネクタ３７ａ〜３７ｆは、略矩形状に形成され、前面に、内部にＩＣカード１の端子部３を挿入するための挿入口３８が設けられている。このコネクタ３７ａ〜３７ｆは、ＩＣカード１の端子部３が挿入されたとき、筐体２に貼着されたラベル１０を被覆し隠してしまわないような大きさに形成されている。また、コネクタ３７ａ〜３７ｆの内部の底面には、端子部３を構成する電極３ｂ1〜３ｂ10に電気的に接続される接続端子３９1〜３９10が設けられている。接続端子３９1〜３９10は、ＩＣカード１の端子部３を構成する電極３ｂ1〜３ｂ10の数に対応して設けられている。これら接続端子３９1〜３９10は、略Ｌ字状に折曲して形成され、この折曲部が上方に突出し、ＩＣカード１の電極３ｂ1〜３ｂ10に押圧されて弾性変位するように設けられている。接続端子３９1〜３９10は、ＩＣカード１がコネクタ３７ａ〜３７ｆの内部に挿入されたとき、ＩＣカード１の端子部３を構成する係合凹部３ｃの開放側より進入し、折曲部が電極３ｂ1〜３ｂ10に押圧された状態で接触することで、電極３ｂ1〜３ｂ10と電気的に接続する。なお、図示しないが、接続端子３９1〜３９10は、フレキシブルプリント基板により装置本体２１の電気回路に接続されている。
【００３０】
ここで、接続端子３９1〜３９10について説明すると、接続端子３９1と接続端子３９10とは、図８に示すように、検出電圧ＶSS端子であり、電極３ｂ1と電極３ｂ10に電気的に接続され、接続端子３９2は、シリアルプロトコルバスステート信号ＢＳの入力端子であり、電極３ｂ2に電気的に接続され、接続端子３９3と接続端子３９9とは、電源電圧ＶCC端子とされ、電極３ｂ3と電極３ｂ9に電気的に接続され、接続端子３９4は、データ端子、すなわちシリアルプロトコルデータ信号の入出力端子とされ、電極３ｂ4に電気的に接続され、接続端子３９5と接続端子３９7とは、リザーブ（予備）端子であり、電極３ｂ5と電極３ｂ7に電気的に接続され、接続端子３９6は、ＩＣカード１が記録再生装置に装着されたか否かを検出するための検出端子であり、電極３ｂ6に電気的に接続され、接続端子３９8は、シリアルクロックＳＣＬＫの入力端子であり、電極３ｂ8に電気的に接続される。
【００３１】
また、コネクタ３９の一方の側面には、図６に示すように、ＩＣカード１の挿入ガイド溝１３に係合されるガイド片４１が設けられ、他方の側面には、ＩＣカード１の脱落防止用凹部７に係合される弾性係合片４２が設けられている。ガイド片４１は、挿入口３８よりＩＣカード１の端子部３が挿入されるとき、挿入ガイド溝１３に係合されることで、挿入のガイドを行い、弾性係合片４２は、ＩＣカード１がコネクタ３７ａ〜３７ｆに収納されたとき、脱落防止用凹部７に係合されることで収納位置からＩＣカード１の収納位置がずれることを防止する。
【００３２】
以上のようなコネクタ３７ａ〜３７ｆは、ＩＣカード１が挿入されたとき、端子部３の係合凹部３ｃに接続端子３９1〜３９10が係合し、弾性係合片４２が脱落防止用凹部７に係合することで、ＩＣカード１を保持する。
【００３３】
また、このようなコネクタ３７ａ〜３７ｆの背面には、コネクタ３７ａ〜３７ｆを回動支持するための回動支持片４３が設けられ、この回動支持片４３には、支持孔４４が設けられている。また、収納凹部３６の背面壁３６ａ側には、コネクタ３７ａ〜３７ｆが取り付けられる支軸４５が側壁３６ｂ，側壁３６ｃに亘って設けられている。支軸４５は、コネクタ３７ａ〜３７ｆの回動支持片４３に設けられた支持孔４４に挿通され、等間隔に取り付けられる。そして、ＩＣカード１が挿入されたコネクタ３７ａ〜３７ｆは、支軸４５を中心として、ＩＣカード１を収納凹部３６に収納した収納位置と、ＩＣカード１の背面２ｆを収納凹部３６より突出させた挿脱位置とに亘って回動する。
【００３４】
次に、ＩＣカード１をコネクタ３７ａ〜３７ｆに挿入する一連の動作について図６を参照して説明する。ＩＣカード１をコネクタ３７に挿入するとき、コネクタ３７は、支軸４５を支点として、図６中反矢印Ａ方向に回動され、挿入口３８が上方を向いたＩＣカード１の挿脱位置にある。この挿脱位置にあるコネクタ３７に対して、ＩＣカード１は、図６中矢印Ｂ方向から端子部３を挿入端としてコネクタ３７に挿入される。すると、ＩＣカード１は、係合凹部３ｃに接続端子３９1〜３９10が係合されるとともに、電極３ｂ1〜３ｂ10が接続端子３９1〜３９10に電気的に接続された状態となる。また、コネクタ３７に挿入されとき、ＩＣカード１は、挿入ガイド溝１３にガイド片４１が係合されることで、ＩＣカード１の挿入がガイドされ、また、弾性係合片４２が脱落防止用凹部７に係合されることで、脱落が防止される。挿脱位置にあるコネクタ３７に挿入されたＩＣカード１は、背面２ｆが装置本体２１の上面２１ａより突出し、ラベル１０を目視することができる状態にある。
【００３５】
この後、挿脱位置にあるＩＣカード１が挿入されたコネクタ３７は、指等により図６中矢印Ａ方向に回動されることにより、収納凹部３６内の収納位置に移動される。この収納位置において、ＩＣカード１は、データの記録又は再生が行われる。以上のように収納凹部３６にＩＣカード１が複数枚収納されているとき、収納されたＩＣカード１に何が記録されているが知るため利用者がラベル１０を見る場合には、収納位置にあるＩＣカード１が挿入されたコネクタ３７を図６中反矢印Ａ方向に回動されることによって挿脱位置まで移動される。この挿脱位置では、ＩＣカード１は装置本体２１の上面２１ａより突出されていることから、利用者は、ＩＣカード１のラベル１０を容易に見ることができる。
【００３６】
そして、ＩＣカード１を収納凹部３６より取り出す場合には、先ず、ＩＣカード１が挿入された収納位置にあるコネクタ３７が指等により図６中反矢印Ａ方向に回動される。この後、ＩＣカード１は、図６中反矢印Ｂ方向に利用者によりコネクタ３７より引き抜かれることにより取り出される。
【００３７】
以上のような装着部２２は、装置本体２１の上面２１ａの一方のコーナ部に設けられていることから、ＩＣカード１の挿入側となる前面２１ｂと一方の側面２１ｄに切欠部４６，４７が設けられている。したがって、利用者は、ＩＣカード１の挿脱操作を容易に行うことができる。また、利用者は、収納凹部３６の最も側面２１ｄ側に装着されたＩＣカード１のラベル１０の記載を切欠部４７より容易に見ることができる。また、装着部２２は、収納凹部３６に収納された一のＩＣカード１のラベル１０の記載を確認するとき、指等で該当するＩＣカード１が装着されたコネクタ３７を図６中反矢印Ａ方向に回動されることによって、ラベル１０を外部に臨ませる。したがって、利用者は、ＩＣカード１のラベル１０の記載を容易に確認することができる。また、挿脱位置にコネクタがあるときにも、利用者は、ＩＣカード１がコネクタ３７に確実に接続されていれば、データの記録再生を行うことができる。さらに、装着部２２には、複数枚のＩＣカード１が一度に収納することができることから、小型化が図られたＩＣカード１の管理を容易に行うことができるようになる。
【００３８】
次に、この記録再生装置２０の具体的な回路構成について説明すると、図７に示すように、この記録再生装置２０は、ディジタル入力端子２８より入力された光信号を光電変換する光入力部５１と、光入力部５１で生成された電気信号の入力インターフェース処理を行うディジタル入力部５２とを有する。光ディスク記録再生装置から光ケーブルを介してディジタル入力端子２８に入力された光信号は、光入力部５１で光電変換されて、ディジタル入力部５２で送信フォーマットに応じた受信処理がなされる。
【００３９】
また、記録再生装置２０は、マイク端子２５に入力された音声データを増幅するマイクアンプ５３と、ヘッドフォン端子２４やライン出力端子２６より出力する音声データ等からなる出力信号を増幅するパワーアンプ５４と、マイクアンプ５３やライン入力端子２７から入力されたアナログ信号をディジタル信号に変換するとともに、ディジタル信号をアナログ信号に変換し、ヘッドフォン端子２４やライン出力端子２６よりパワーアンプ５４を介してアナログ信号を出力するＡＤ／ＤＡコンバータ５５と、ＡＤ／ＤＡコンバータ５５から供給されたディジタルデータを圧縮するとともに、ＩＣカード１に記録された圧縮されたデータを伸長し、ＡＤ／ＤＡコンバータ５５に出力するＤＳＰ（Digital Signal Processor）５６と、データを暗号化するとともに暗号化されたデータを展開するＳＡＭ（Securty Application Module）５７とを有する。
【００４０】
ＤＳＰ５６は、信号の入力のとき、ディジタル入力部５２より入力されたディジタル信号やＡＤ／ＤＡコンバータ５５でディジタル信号に変換されたデータを例えばＪＰＥＧ（Joint Photographic Experts Group）形式やＭＰＥＧ（motion picture expert group）１，２形式に圧縮し、この圧縮したデータを暗号化するためＳＡＭ５７に供給する。また、ＤＳＰ５６は、信号の出力のとき、ＳＡＭ５７で展開されたデータやＩＣカード１等に圧縮されて保存されているデータを展開し、ＡＤ／ＤＡコンバータ５５に出力する。
【００４１】
ＳＡＭ５７は、データの暗号化を行うとともに、暗号化されたデータの展開を行う。すなわち、ＳＡＭ５７は、ＤＳＰ５６から供給されたデータを暗号化するとともに、ＩＣカード１等に記録された暗号化されたデータを展開し、ＤＳＰ５６に出力する。なお、暗号キーは、後述するフラッシュメモリ６４に記憶されており、ＣＰＵ６６との間でこの暗号キーのやり取りをおこなうことで、データの暗号化及び展開を行う。
【００４２】
また、記録再生装置２０は、ＵＳＢコネクタ２９に接続されたＵＳＢインターフェース５８と、日時を計数するリアルタイムクロック５９と、表示部２３にデータを表示するための表示ドライバ６１とを有する。ＵＳＢインターフェース５８は、ＵＳＢコネクタ２９に接続されたコンピュータ等の外部機器との間の通信インターフェースであり、外部機器と制御データやコンピュータで処理される処理デーや、画像データ、音声データ等の各種データのやり取りを行う。また、表示ドライバ６１は、表示部２３に、ＩＣカード１に記録されている画像データ等ＩＣカード１に記録されている情報やＩＣカード１に記録されている情報に関連する情報を表示させる。
【００４３】
更に、記録再生装置２０は、電源部として、電源コネクタ３２からの交流電源を直流電源に整流するレギュレータ６２と、レギュレータ６２からの電圧を各回路の動作電圧に変換するＤＣ／ＤＣコンバータ６３とを有する。
【００４４】
更に、記録再生装置２０は、システム情報等が記録されたフラッシュメモリ６４と、ＩＣカード１のデータを一時的に記憶するバッファメモリ６５と、全体の動作を制御するＣＰＵ（Central Processing Unit）６６と、上述した装着部２２の６つのコネクタ３７ａ〜３７ｆが接続されるメモリインターフェース６７とを有する。フラッシュメモリ６４には、例えばＩＣカード１に音楽データを記録するための記録モードやＩＣカード１に記録された音楽データを再生するための再生モードやＩＣカード１に記録された画像データを表示部２３に表示させるための表示モード等装置本体２１の動作に関するシステム情報が記録されている。また、フラッシュメモリ６４には、上述したＳＡＭ５７によってデータを暗号化しまた暗号化されたデータを展開する際に用いる暗号キーが記憶されている。また、バッファメモリ６５は、例えば装着部２２に装着された一方のＩＣカード１から他のＩＣカード１にデータをダビングする際に、一時的に一方のＩＣカード１から読み出されたデータを記憶する。
【００４５】
ＣＰＵ６６は、装置全体を制御するものであり、装置本体２１の動作プログラムを記憶したＲＯＭ（Read Only Memory）６６ａと、ＲＯＭ６６ａに記憶されたプログラムが一時読み出されるワーク領域となるＲＡＭ（Random Access Memory）６６ｂとを有する。このようなＣＰＵ６６は、操作部３１からの操作信号に基づいて、ＲＯＭ６６ａからプログラムをＲＡＭ６６ｂに読み出し、このプログラムを実行することで、装置全体を制御する。また、ＣＰＵ６６は、装着部２２に装着されたＩＣカード１のファイル管理を行うファイルマネージャ７１を有する。このファイルマネージャ７１は、ＩＣカード１にあるメインデータの管理のための管理ファイルを読み込んで形成される。そして、ＣＰＵ６６は、このファイルマネージャ７１に従って装着部２２に装着された一又は複数のＩＣカード１にアクセスする。
【００４６】
装着部２２の６つのコネクタ３７ａ〜３７ｆとのインターフェースとなるメモリインターフェース６７は、図３及び図８に示すように、ＩＣカード１のレジスタ１２ｂやページバッファ１２ｃへのアクセスを実行する転送プロトコルインターフェース７２と、３つの信号線、すなわちシリアルクロックＳＣＬＫとバスステートＢＳとシリアルデータ入出力ＳＤＩＯにおいてデータ転送を行うためのプロトコルを規定するシリアルインターフェース７３と、コネクタ３７ａ〜３７ｆにＩＣカード１が確実に装着されたかを検出する挿入検出部７４と、シリアルインターフェース７３とコネクタ３７ａ〜３７ｆに装着されたＩＣカード１との接続を確立するためのセレクト部７５とを有する。
【００４７】
シリアルインターフェース７３は、シリアルクロックＳＣＬＫとバスステートＢＳとシリアルデータ入出力ＳＤＩＯによってデータ転送を行う。これらの信号線は、セレクト部７５を介して装着部２２のコネクタ３７ａ〜３７ｆの接続端子３９2，３９4，３９8に接続されている。そして、図６に示すように、ＩＣカード１が装着部２２の挿脱位置にあるコネクタ３７ａ〜３７ｆに収納されたとき、ＩＣカード１と装置本体２１、すなわち図３に示すシリアルインターフェース１２ｄとシリアルインターフェース７３とが接続される。
【００４８】
ＩＣカード１がコネクタ３７ａ〜３７ｆに装着されているかを検出する挿入検出部７４は、各コネクタ３７ａ〜３７ｆの接続端子３９6に接続されており、ＩＣカード１の端子部３を構成する電極３ｂ6の端子電圧を検出することでコネクタ３７ａ〜３７ｆへのＩＣカード１の装着状況を検出する。すなわち、ＩＣカード１がコネクタ３７ａ〜３７ｆに装着されたとき、挿入検出部７４がＩＣカード１の端子部３を構成する電極３ｂ6の端子電圧を検出することが可能な状態となり、電極３ｂ6の端子電圧を検出することで何れのコネクタ３７ａ〜３７ｆにＩＣカード１が装着されているかを検出する。そして、挿入検出部７４は、この検出信号をＣＰＵ６６内のファイルマネージャ７１に供給するとともに、この検出信号に基づいてセレクト部７５を構成するイネーブルスイッチを切換制御する。
【００４９】
セレクト部７５は、図８に示すように、装着部２２のコネクタ３７ａ〜３７ｆを選択する選択スイッチ７６ａ〜７６ｆ（以下、単に選択スイッチ７６ともいう。）と、ＩＣカード１が装着されていないコネクタ３７が選択されることを禁止するイネーブルスイッチ７７ａ〜７７ｆとを有する。これら選択スイッチ７６ａ〜７６ｆとイネーブルスイッチ９８ａ〜７７ｆ（以下、単にイネーブルスイッチ７７ともいう。）とは、直列に接続され、シリアルインターフェース７３と各コネクタ３７ａ〜３７ｆの接続端子３９2，３９4，３９8との間に設けられている。選択スイッチ７６は、装着部２２のコネクタ３７ａ〜３７ｆの数に対応して設けられ、一端がイネーブルスイッチ７７ａ〜７７ｆに接続され、他端がシリアルインターフェース７３に接続されている。そして、各選択スイッチ７６ａ〜７６ｆは、ＣＰＵ６６内のファイルマネージャ７１により切換制御されることにより、ＩＣカード１が装着されたコネクタ３７ａ〜３７ｆの中で再生するＩＣカード１のコネクタ３７を選択する。
【００５０】
また、イネーブルスイッチ７７ａ〜７７ｆは、一端が装着部２２ａ〜２２ｆのコネクタ３７ａ〜３７ｆの接続端子３９2，３９4，３９8に接続され、他端が選択スイッチ７６ａ〜７６ｆに接続されている。イネーブルスイッチ７７ａ〜７７ｆは、ＩＣカード１が装着されていないコネクタ３７を選択することを防止するためのものであり、挿入検出部７４により制御される。すなわち、選択スイッチ７６ａ〜７６ｆは、イネーブルスイッチ７７ａ〜７７ｆによりＩＣカード１が装着されていると判断されたコネクタ３７ａ〜３７ｆの中で記録又は再生するＩＣカード１が装着されたコネクタ３７を選択する。
【００５１】
なお、ＣＰＵ６６及びメモリインターフェース６７の各機能は、ハードウェア、ソフトウェアの何れの何れで形成するようにしてもよい。
【００５２】
次に、メモリインターフェース６７のコネクタ３７にＩＣカード１が装着されてから所望のＩＣカード１を選択するまでの一連の動作について説明すると、先ず、装置本体２１の電源が投入されると、挿入検出部７４は、コネクタ３７に装着されたＩＣカード１の端子部３を構成する電極３ｂ6の端子電圧を検出する。ここで、挿入検出部７４は、コネクタ３７のそれぞれの端子部３を構成する電極３ｂ6の端子電圧が閾値より大きいとき、コネクタ３７にＩＣカード１が装着されていると判断し、閾値より小さいときコネクタ３７にＩＣカード１が装着されていないと判断する。すなわち、挿入検出部７４は、６つのコネクタ３７ａ〜３７ｆの中で何れのコネクタ３７にＩＣカード１が装着されているかを判断する。
そして、挿入検出部７４は、どのコネクタ３７にＩＣカード１が装着されており、どのコネクタ３７にＩＣカード１が装着されていないかを示す検出信号をＣＰＵ６６のファイルマネージャ７１に供給する。これと同時に、挿入検出部７４は、検出信号をセレクト部７５に供給する。
【００５３】
そして、挿入検出部７４は、この検出信号に基づいてイネーブルスイッチ７７ａ〜７７ｆのオンオフを切換制御する。具体的に、挿入検出部７４は、ＩＣカード１が装着されているコネクタ３７のイネーブルスイッチ７７ａ〜７７ｆを利用者が選択することができるようにオンとし、ＩＣカード１が装着されていないコネクタ３７のイネーブルスイッチ７７ａ〜７７ｆを利用者が選択できないようにオフにする。これと同時に、検出信号が供給されたＣＰＵ６６は、この検出信号に基づいて、表示ドライバ６１を介して表示部２３に、選択可能な番地の装着部２２を表示する。
【００５４】
そして、利用者が表示部２３の表示又は装置本体２１の上面２１ａのＩＣカード１が装着されたコネクタ３７を回動操作しラベル１０を見ることにより所望の番地のコネクタ３７ａ〜３７ｆを選択する選択操作を操作部３１で行い、操作部３１よりＣＰＵ６６に操作信号が入力されると、ＣＰＵ６６のファイルマネージャ７１は、この操作信号に基づいて選択スイッチ７６を制御する。すなわち、ファイルマネージャ７１は、利用者が選択した番地のコネクタ３７の選択スイッチ７６をオンとし、その他の選択スイッチ７６をオフとする。すなわち、利用者によって選択されたコネクタ３７は、選択スイッチ７６とイネーブルスイッチ７７がともにオンとなり、利用者によって選択されていないコネクタ３７は、選択スイッチ７６若しくはイネーブルスイッチ７７の何れかがオフ又は選択スイッチ７６とイネーブルスイッチ７７とが共にオフの状態となる。
【００５５】
利用者によってＩＣカード１が装着されたコネクタ３７が選択された後、例えば利用者が選択した装着部２２に装着されたＩＣカード１に記録されている音楽データを再生するように操作部３１を操作すると、ＣＰＵ６６には、操作部３１より操作信号が入力される。すると、ＣＰＵ６６のファイルマネージャ７１は、シリアルインターフェース１２ｄとシリアルインターフェース７３とが接続されることで、シリアルクロックＳＣＬＫとバスステートＢＳとシリアルデータ入出力ＳＤＩＯを用いてＩＣカード１のフラッシュメモリ１１より音楽データを読み出し、この音楽データをＤＳＰ５６に供給する。ＤＳＰ５６は、圧縮された音楽データを伸長し、ＡＤ／ＤＡコンバータ５５に供給する。ＡＤ／ＤＡコンバータ５５は、ディジタル信号である音楽データをアナログ信号に変換し、パワーアンプ５４に出力する。そして、この音楽データは、ライン出力端子２６に接続されたスピーカ若しくはヘッドフォン端子２４に接続されたヘッドフォンより出力される。
【００５６】
また、利用者によってＩＣカード１が装着されたコネクタ３７が選択された後、例えば利用者が選択したコネクタ３７に装着されたＩＣカード１に外部装置である光ディスク記録再生装置よりディジタルコンテンツ、例えば音楽データをダビングするときについて説明すると、先ず、ＣＰＵ６６には、操作部３１より光ディスク記録再生装置に装着された磁気ディスクよりＩＣカード１に音楽データをダビングするための操作信号が入力される。光ディスク記録再生装置から光信号がディジタル入力端子２８を介して光入力部５１に入力される。そして、光入力部５１は、光信号を電気信号に光電変換し、ディジタル入力部５２は、この電気信号の受信処理を行う。そして、ＤＳＰ５６は、データの圧縮処理を行い、ＣＰＵ６６は、圧縮処理が施されたデータを、利用者が選択したコネクタ３７に装着されたＩＣカード１にデータを記録する。
【００５７】
次に、６つのコネクタ３７ａ〜３７ｆの幾つかに音楽データが記録されたＩＣカード１が装着されており、これらＩＣカード１に記録された音楽データを連続再生するときについて、図９を参照して説明する。
【００５８】
先ず、ステップＳ１において、利用者によって連続再生モード処理を実行するように操作部３１が操作されると、ＣＰＵ６６に操作部３１より操作信号が入力され、ＣＰＵ６６は、連続再生モード処理を開始し、ステップＳ２に進み、操作信号が入力されないとき、ステップＳ１を繰り返す。
【００５９】
ステップＳ２において、ＣＰＵ６６は、コネクタ３７ａ〜３７ｆに装着されたＩＣカード１の枚数Ｎを算出する。すなわち、ＣＰＵ６６は、図６に示すように、挿入検出部７４がコネクタ３７ａ〜３７ｆに装着されたＩＣカード１の端子部３を構成する電極３ｂ6の端子電圧を検出し、挿入検出部７４より入力された検出信号に基づいて、コネクタ３７ａ〜３７ｆに装着されたＩＣカード１の枚数Ｎを算出する。ここで、本実施例では、コネクタ３７ａ〜３７ｆが６つ設けられていることから、最大値が６であり、また、１のときは連続再生モードを実行することができないことから、最小値が２である。そして、ＣＰＵ６６は、ＩＣカード１の枚数Ｎを算出すると、ステップＳ３に進む。
【００６０】
ステップＳ３において、ＣＰＵ６６は、コネクタ３７ａ〜３７ｆのどの番地にＩＣカード１が装着されているかを判定する。すなわち、ＣＰＵ６６は、挿入検出部７４より入力された検出信号に基づいて、どのコネクタ３７ａ〜３７ｆにＩＣカード１が装着されているかを判定する。このとき、挿入検出部７４は、セレクト部７５にも検出信号を出力し、ＩＣカード１が装着されていないコネクタ３７のイネーブルスイッチ７７をオフにし、利用者がＩＣカード１が装着されていないコネクタ３７の番地を選択できないようにする。そして、ＣＰＵ６６は、ＩＣカード１の装着されたコネクタ３７の番地を判定した後、ステップＳ４に進む。
【００６１】
ステップＳ４において、ＣＰＵ６６は、表示部２３に表示ドライバ６１を介して、ＩＣカード１が装着されたコネクタ３７の番地を表示する。また、ＣＰＵ６６は、表示部２３に、ＩＣカード１に記録された音楽データに関連した情報、例えば曲のタイトルを表示する。そして、ＣＰＵ６６は、利用者の操作部３１の操作に基づいて、どの順番でＩＣカード１を再生するかの再生順序を設定し、ステップＳ５に進む。なお、再生順序は、ランダムに再生したり、装着部２２ａ〜２２ｆの番地の小さい順に再生するようにしてもよい。また、利用者は、装置本体２１の上面２１ａのＩＣカード１が装着されたコネクタ３７を回動操作しラベル１０を見ることにより再生順序を設定する。
【００６２】
ステップＳ５において、ＣＰＵ６６は、最初に再生するように設定されたコネクタ３７のＩＣカード１を再生するため変数ｎを１に設定し、ステップＳ６に進む。ステップＳ６において、ＣＰＵ６６のファイルマネージャ７１は、この変数ｎに基づいて、利用者が選択したコネクタ３７に対応した選択スイッチ７６をオンに切り換え、他の選択スイッチ７６をオフに切り換え、利用者が最初に再生することにした番地のＩＣカード１のみを再生可能な状態にし、ステップＳ７に進む。
【００６３】
ステップＳ７において、ＣＰＵ６６は、ＩＣカード１より読み出す音楽データのアドレスを設定し、ステップＳ８において、読み込みアクセスを実行する。すると、ＣＰＵ６６は、シリアルインターフェース１２ｄとシリアルインターフェース７３とが接続されることで、シリアルクロックＳＣＬＫとバスステートＢＳとシリアルデータ入出力ＳＤＩＯを用いてＩＣカード１のフラッシュメモリ１１より音楽データを読み出し、この音楽データをＤＳＰ５６に供給する。ＤＳＰ５６は、圧縮された音楽データを伸長し、ＡＤ／ＤＡコンバータ５５に供給する。ＡＤ／ＤＡコンバータ５５は、ディジタル信号である音楽データをアナログ信号に変換し、パワーアンプ５４に出力する。そして、この音楽データは、ライン出力端子２６に接続されたスピーカ若しくはヘッドフォン端子２４に接続されたヘッドフォンより出力される。
【００６４】
ステップＳ９において、利用者によって操作部３１で連続再生処理の停止操作がされたとき、ＣＰＵ６６は、ステップＳ１４に進み、連続再生処理の停止操作がなされなかったとき、ステップＳ１０に進む。
【００６５】
ステップＳ１０において、ＣＰＵ６６は、最初に再生しているＩＣカード１に記録された全音楽データの再生が終了すると、ステップＳ１１に進み、ＩＣカード１に記録された全音楽データの再生が終了していないとき、ステップＳ７に戻り、処理を繰り返す。
【００６６】
ステップＳ１１において、ＩＣカード１に記録された全音楽データの再生が終了したと判定したとき、ＣＰＵ６６は、ステップＳ１１において、再生の終了したＩＣカード１が装着されているコネクタ３７の選択スイッチ７６をオフにし、ステップＳ１２に進む。
【００６７】
ステップＳ１２において、ＣＰＵ６６は、変数ｎが装着部２２に装着されたＩＣカード１の枚数Ｎ以上であるか否かを判定し、変数ｎが変数Ｎ以上であるとき、ステップＳ１３に進み、変数ｎが変数Ｎより小さいとき、ステップＳ１５に進む。
【００６８】
ステップＳ１３において、ＣＰＵ６６は、装着部２２に装着された全てのＩＣカード１についての連続再生が終了したものとして、連続再生処理を終了する。また、ステップＳ９において、利用者によって操作部３１で連続再生処理の停止操作がされたとき、ＣＰＵ６６は、ステップＳ１４において、現在再生中のＩＣカード１の読み出し動作を停止、すなわち選択スイッチ７６をオフにし、ステップＳ１３において、連続再生処理を終了する。
【００６９】
また、ステップＳ１２で変数ｎが変数Ｎより小さいと判定したとき、ＣＰＵ６６は、ステップＳ１５において、次のＩＣカード１を再生するため、変数ｎをインクリメントし、ステップＳ６に戻り、次に再生するＩＣカード１が装着されたコネクタ３７の選択スイッチ７６をオンにする。
【００７０】
以上のように、装着部２２に装着された複数枚のＩＣカード１に記録された音楽データを連続再生するためＩＣカード１を選択するとき、利用者は、指等で該当するＩＣカード１が装着されたコネクタ３７ａ〜３７ｆを図６中反矢印Ａ方向に回動することによって、外部に臨まされたラベル１０の記載を確認することができる。
【００７１】
次に、一のＩＣカードに記録されたデータを他のＩＣカードに転送し記録する転送モード処理について図１０を参照して説明する。先ず、ステップＳ２１において、利用者によって、転送モード処理を実行するように操作部３１が操作されると、ＣＰＵ６６に操作部３１より操作信号が入力され、ＣＰＵ６６は、転送モード処理を開始し、ステップＳ２２に進み、操作信号が入力されていないとき、ステップＳ２１を繰り返す。
【００７２】
ステップＳ２２において、ＣＰＵ６６は、転送元となるＩＣカード１が装着された装着部２２のコネクタ３７ａ〜３７ｆの番地を選択する旨の要求と転送元のＩＣカード１内の記録トラックの指定要求と転送先となるＩＣカード１が装着された装着部２２のコネクタ３７の番地を選択する旨の要求を行う。具体的に、ＣＰＵ６６は、これらの要求を、表示ドライバ６１を介して表示部２３で行う。なお、ここで、ＣＰＵ６６は、挿入検出部７４での検出結果に基づいて、ＩＣカード１が装着されたコネクタ３７の中で転送元と転送先を指示するように表示部２３で指示を行う。
【００７３】
そして、ステップＳ２３において、上記ステップＳ２２における要求に応答する操作、すなわち転送となるＩＣカード１が装着された装着部２２のコネクタ３７ａ〜３７ｆの番地の指定と、転送元のＩＣカード１の記録トラックの指定と、転送先となるＩＣカード１が装着されたコネクタ３７ａ〜３７ｆの番地の指定が行われると、ＣＰＵ６６は、ステップＳ２４に進み、この操作が行われないとき、ステップＳ２２に戻り、転送元と転送先の番地の指定要求を行う。
【００７４】
ステップＳ２４において、ＣＰＵ６６は、ファイルマネージャ７１に転送元のＩＣカード１の番地と転送元のＩＣカード１の記録トラックの番地と転送先のＩＣカード１の番地を設定する。そして、ＣＰＵ６６は、ステップＳ２５に進む。
【００７５】
ステップＳ２５において、ＣＰＵ６６は、転送元のＩＣカード１の転送対象となる記録トラックのアドレスを読み出しアドレスとして設定し、ステップＳ２６に進む。そして、ステップＳ２６において、ＣＰＵ６６は、転送元のＩＣカード１が装着されたコネクタ３７の選択スイッチ７６をオンにし、所定の記録トラックのデータを読み出し可能な状態にする。そして、ＣＰＵ６６は、選択スイッチ７６をオンにすると、ステップＳ２７に進む。
【００７６】
ステップＳ２７において、ＣＰＵ６６は、転送元のＩＣカード１よりデータを読み出し、バッファメモリ６５に格納する。ここで、この読み出し処理は、バッファメモリ６５に格納可能なデータ容量を超えないデータ量単位で行われる。
【００７７】
ＣＰＵ６６は、所定のデータをバッファメモリ６５に格納すると、ステップＳ２８において、読み出し中のＩＣカード１が装着されたコネクタ３７の選択スイッチ７６をオフにする。次いで、ステップＳ２９において、ＣＰＵ６６は、バッファメモリ６５に格納されたデータを転送先のＩＣカード１に出力するため、転送先のＩＣカード１が装着されたコネクタ３７の選択スイッチ７６をオンにし、ステップＳ３０において、転送先のＩＣカード１の空き領域にバッファメモリ６５に格納されているデータを転送する。
【００７８】
次いで、バッファメモリ６５から転送先のＩＣカード１へのデータの転送が終了すると、ＣＰＵ６６は、ステップＳ３１において、転送先のＩＣカード１が装着されたコネクタ３７の選択スイッチ７６をオフにし、ステップＳ３２に進む。ＣＰＵ６６は、ステップＳ３２において、ステップＳ３０における転送先のＩＣカード１への書き込みで全転送データの転送が終了したか否かを判定し、完了しているとき、ステップＳ３３に進み、転送処理を終了し、完了していないとき、ステップＳ３４に進む。
【００７９】
全データの伝送が終了していないとき、ステップＳ３４において、ＣＰＵ６６は、次の読み出しアドレス、すなわち転送元のＩＣカード１のアドレスを設定し、ステップＳ２６に戻り、再度、転送元のＩＣカード１が装着されたコネクタ３７の選択スイッチ７６をオンにし、続きのデータのバッファメモリ６５への読み出しを行う。
【００８０】
以上のように、記録再生装置２０では、装置本体２１に複数枚のＩＣカード１を装着することができることから、複数のＩＣカード１を使った操作、例えば複数枚のＩＣカード１に記録されたデータの連続再生やＩＣカード１間のデータのダビングを行うことができる。また、装着部２２に装着された複数枚のＩＣカード１間でデータ伝送を行うとき、利用者は、指等で該当するＩＣカード１が装着されたコネクタ３７ａ〜３７ｆを図６中反矢印Ａ方向に回動することによって、外部に臨まされたラベル１０の記載を確認することができる。
【００８１】
なお、以上、装置本体２１の上面２１ａに設けられた装着部２２に６枚のＩＣカード１を装着することが可能な例について説明したが、装着部２２に装着できるＩＣカードの枚数は、これに限定されるものではなく、また、上面２１ａ以外の面、例えば操作面となる前面２１ｂや側面に設けるようにしてもよい。
【００８２】
また、以上のような記録再生装置２０は、次のように構成することもできる。この記録再生装置８１は、図１１に示すように、装置本体８２の内外に亘って移動するトレイ８３を有し、このトレイ８３に複数枚、例えば６枚のＩＣカード１が装着される装着部８４が設けられてなる。
【００８３】
トレイ８３は、図１１に示すように、装置本体８２の操作面となる前面８２ａに設けられた挿脱口８５を介して装置本体８２の内外に亘って移動操作される。この挿脱口８５は、ＩＣカード１が装着されたトレイ８３を装置本体８２の内外に亘って移動することができるように大きさで略矩形状に形成されている。この挿脱口８５に設けられるトレイ８３は、図１１及び図１２に示すように、複数枚のＩＣカード１が装着される装着部８４が設けられる略矩形状のトレイ本体８６と、このトレイ本体８６の一端に略トレイ本体８６に対して略垂直に設けられ、挿脱口８５を閉塞する蓋部８７とを有する。トレイ本体８６は、トレイ８３の移動方向に略直交するように略矩形のＩＣカード１を並べて６枚装着することができる大きさに形成されている。このトレイ本体８６の長手方向の両側には、装置本体８２の内外に亘って移動する際のガイドを行うガイドレール８８，８９が設けられている。また、一方のガイドレール８８には、トレイ８３を移動するための移動操作機構９５との接続を図るためのラックギヤ９１が設けられている。一方、装置本体８２側には、図１２に示すように、ガイドレール８８，８９が係合されるガイド凹部９２，９３が略Ｃ字状に設けられている。ガイド凹部９２には、ガイドレール８８が係合され、ガイド凹部９３には、ガイドレール８９が係合される。また、ガイド凹部９２の一端部は、切欠部９４が設けられ、ラックギヤ９１の一部を外部に臨ませ、移動操作機構９５と接続できるように形成されている。
【００８４】
このようなトレイ８３を移動する移動操作機構９５は、図１２に示すように、駆動モータ９６と、この駆動モータ９６の駆動軸に取り付けられた第１のプーリ９８と、装置本体８２側に設けられた第２のプーリ９９と、第１のプーリ９８と第２のプーリ９９に掛け渡される無端ベルト１００と、第２のプーリ９９に一体的に設けられたギヤ部９９ａに噛合される大径の第１のギヤ部１０１ａと第１のギヤ部１０１ａより小径で、上述したガイド凹部９２の切欠部９４より外部に臨まされたラックギヤ９１に噛合される第２のギヤ部１０１ｂとからなる駆動ギヤ１０１とを有する。
【００８５】
トレイ８３は、駆動モータ９６が一方向に駆動され、駆動ギヤ１０１が図１２中矢印Ｃ方向に駆動されることによって、装置本体８２の外部に移動する図１２中矢印Ｄ方向に移動される。また、トレイ８３は、駆動モータ９６が他方向に駆動され、駆動ギヤ１０１が図１２中反矢印Ｃ方向に駆動されることによって、装置本体８２の内部に移動する図１２中反矢印Ｄ方向に移動される。
【００８６】
ところで、このトレイ８３のトレイ本体８６には、複数枚、例えば６枚のＩＣカード１が装着される装着部８４が設けられている。この装着部８４には、上述した装着部２２と同様に、コネクタ１０３ａ〜１０３ｆ（以下、単にコネクタ１０３ともいう。）と、このコネクタ１０３を回動可能に支持する支持機構１０４が設けられている。これらコネクタ１０３ａ〜１０３ｆは、トレイ８３の移動方向に沿って一列に並んで、ＩＣカード１の挿入方向がトレイ８３の移動方向と略直交する方向となるように設けられている。
【００８７】
また、これらコネクタ１０３ａ〜１０３ｆを回動支持する支持機構１０４は、トレイ本体８６に一体的に設けられた一対の支持片１０５，１０５に軸支される支軸１０６が、コネクタ１０３の背面に設けられた回動支持片１０７に穿設された支持孔１０８に挿通されてなる。そして、各コネクタ１０３は、支軸１０６を中心にして挿脱位置と収納位置とに亘って回動される。
【００８８】
以上のような記録再生装置８１では、次のようにＩＣカード１の挿脱操作が行われる。先ず、ＩＣカード１の交換等を行うため、トレイ８３は、装置本体８２の前面８２ａに設けられた操作釦が押されると、駆動モータ９６が一方向に駆動され、駆動ギヤ１０１が図１２中矢印Ｃ方向に回転されることによって、ラックギヤ９１で駆動ギヤ１０１に噛合されたトレイ８３は、装置本体８２の外部に突出する図１２中矢印Ｃ方向に移動し、トレイ本体８６に設けられた装着部８４を外部に臨ませる。ここで、利用者がＩＣカード１を挿入しようとする番地のコネクタ１０３は、支軸１０６を支点として、図１２中反矢印Ｅ方向に回動され、挿脱位置にされると、この挿脱位置で、ＩＣカード１が図１２中矢印Ｆ方向より端子部３を挿入端として挿入される。この後、ＩＣカード１が挿入されたコネクタ１３７は、支軸１０６を中心にして、収納位置まで移動される。
【００８９】
この後、操作釦が押されると、駆動モータ９６が一方向に駆動され、駆動ギヤ１０１が図１２中反矢印Ｃ方向に回転されることによって、ラックギヤ９１で駆動ギヤ１０１に噛合されたトレイ８３は、装置本体８２の内部、すなわち図１２中反矢印Ｃ方向に移動し、装置本体８２内に収納される。なお、この記録再生装置８０においても、ＩＣカード１に対するデータの記録又はＩＣカード１に記録されたデータの再生は、上述した図７乃至図１０と同様に行われる。
【００９０】
以上のような記録再生装置８１では、トレイ８３に複数枚のＩＣカード１を装着することができることから、複数のＩＣカード１に跨って、データの連続再生を行ったりダビングをすることができる。このとき、装着部８４のコネクタ１０３に装着されたＩＣカード１の確認は、所望のＩＣカード１が装着されたコネクタ１０３を収納位置から挿脱位置に移動させることによってラベル１０の内容を視認可能な状態とすることで行うことができる。
【００９１】
なお、以上、装着部８４について説明したが、装着されるＩＣカード１の枚数はこれに限定されるものではない。
【００９２】
また、以上、ＩＣカード１の記録再生装置２０，８０について、図面を参照して説明したが、本発明は、これに限定されるものではなく、例えば、ＩＣカード１の端子部とコネクタとの間のデータの送受信は、無線で行うようにしてもよい。また、本発明は、ＩＣカード１の記録装置又は再生装置であってもよい。
【００９３】
【発明の効果】
本発明に係るＩＣカードの記録及び／又は再生装置によれば、装置本体に複数枚のＩＣカードを装着することができることから、複数のＩＣカードを使った操作、例えば複数枚のＩＣカードに記録されたデータの連続再生やＩＣカード間のデータのダビングを行うことができる。また、送受信手段をＩＣカードの挿脱位置と収納位置とに亘って移動可能に設けることで、ＩＣカードのラベルを確認する際、ラベルの記載を見ることができる挿脱位置に容易に操作することができる。
【図面の簡単な説明】
【図１】本発明が適用された記録再生装置に用いられるＩＣカードを示す斜視図である。
【図２】上記ＩＣカードを底面側から見た斜視図である。
【図３】上記ＩＣカードのブロック図である。
【図４】本発明が適用された記録再生装置の斜視図である。
【図５】上記記録再生装置の装着部を説明するための要部斜視図である。
【図６】ＩＣカードが装着される装着部を説明する図である。
【図７】記録再生装置のブロック図である。
【図８】ＩＣカードと記録再生装置とのインターフェースを説明する図である。
【図９】複数のＩＣカードを連続して再生する連続再生モード処理を説明するフローチャートである。
【図１０】一のＩＣカードに記録されたデータを他のＩＣカードに転送し記録する転送モード処理を説明するフローチャートである。
【図１１】本発明が適用された記録再生装置の他の例を説明する要部斜視図である。
【図１２】上記記録再生装置の装着部を説明する図である。
【符号の説明】
１  ＩＣカード、３  端子部、３ｂ  電極、１０  ラベル、２０  記録再生装置、２１  装置本体、２２  装着部、３６  収納凹部、３７  コネクタ、３９  接続端子、４３  回動支持片、４４  支持孔、４５  支軸
【図１】
0004581189.tif 000002
【図２】
0004581189.tif 000003
【図３】
0004581189.tif 000004
【図４】
0004581189.tif 000005
【図５】
0004581189.tif 000006
【図６】
0004581189.tif 000007
【図７】
0004581189.tif 000008
【図８】
0004581189.tif 000009
【図９】
0004581189.tif 000010
【図１０】
0004581189.tif 000011
【図１１】
0004581189.tif 000012
【図１２】
0004581189.tif 000013